(57)【要約】【課題】足場の動作によるモーターの負荷を減らし、騒音、衝撃、摩耗などを最小化し、足場とハウジングを連結する調節シャフトにかかるテンションを軽減させ、調節シャフトの破損を防止する運動器具用バイブレーター駆動装置を提供する。【解決手段】ベースパネルと、使用者が上がる足場と前記足場の中央部を前記ベースパネルから離隔するように支持する支持部材と、前記ベースパネルの上部両側に取り付けられるベアリングブロックと、各側端部が前記ベアリングブロックに回動可能に結合される駆動軸と、前記駆動軸の両側に固定される偏心軸と、前記偏心軸のそれぞれに装着されるベアリングと、前記足場の左右回動を誘導する足場誘導部を含み、前記足場誘導部は、前記ベアリングの外周面に締まりばめされるハウジングと、一端がハウジングに結合され昇降する調節シャフトと、を含んでなる運動器具用バイブレーター駆動装置。【選択図】  図３ａ
2008079772.tif 000002
【特許請求の範囲】
【請求項１】
ベースパネルと；
前記ベースパネルの上部に取り付けられ、使用者が上がる足場と、前記足場の中央部を前記ベースパネルから離隔するように支持し、これを中心として左右両側を上下方向にピボット動作可能に支持する支持部材と；
前記支持部材によって支持された前記足場をシーソー方式で上下に作動させるために、前記ベースパネルの上部両側に取り付けられるベアリングブロックと、各側端部が前記ベアリングブロックに回動可能に結合され、駆動手段の駆動力によって回動する駆動軸と、前記駆動軸の両側にそれぞれ偏心状態で固定され、偏心方向が互いに１８０°の位相差を有する偏心軸と、前記偏心軸のそれぞれに装着されるベアリングと；
前記足場とベアリングに結合され、前記足場の左右回動を誘導する足場誘導部と；を含んでなる運動器具用バイブレーター駆動装置において、
前記足場誘導部は、
前記ベアリングの外周面に締まりばめされるハウジングと；
一端がハウジングに結合され、昇降する調節シャフトと；
を含んでなることを特徴とする運動器具用バイブレーター駆動装置。
【請求項２】
前記足場誘導部は、前記足場の底面両側に結合され、長孔が形成された下敷部材をさらに含むことを特徴とする、請求項１に記載の運動器具用バイブレーター駆動装置。
【請求項３】
前記足場誘導部は、前記調節シャフトの他端に締結され、前記足場の下降を誘導するストッパーをさらに含んでなることを特徴とする、請求項２に記載の運動器具用バイブレーター駆動装置。
【請求項４】
前記ハウジングと調節シャフトとの間、および／または調節シャフトとストッパーとの間には、衝撃、騒音、摩耗などを抑制する緩衝部材をさらに含むことを特徴とする、請求項１ないし請求項３のいずれかに記載の運動器具用バイブレーター駆動装置。
【請求項５】
前記駆動軸の各ベアリングブロック側に装着され、前記偏心軸の偏心方向と反対側に偏心するように取り付けられ、前記偏心軸の偏心質量を補償するバランサーをさらに含むことを特徴とする、請求項１ないし請求項４のいずれかに記載の運動器具用バイブレーター駆動装置。
【請求項６】
前記足場の両側には、ガイドホールをさらに含むことを特徴とする、請求項１ないし請求項５のいずれかに記載の運動器具用バイブレーター駆動装置。
【請求項７】
前記調節シャフトには、前記調節シャフトのスイング運動時に発生する摩擦およびテンションを減らすための回動手段をさらに含むことを特徴とする、請求項１ないし請求項６のいずれかに記載の運動器具用バイブレーター駆動装置。
【請求項８】
前記回動手段は、ボールジョイントであることを特徴とする、請求項７に記載の運動器具用バイブレーター駆動装置。
【請求項９】
前記回動手段は、弾性力のあるラバーであることを特徴とする、請求項７に記載の運動器具用バイブレーター駆動装置。
【請求項１０】
前記ベアリングは、ローリングベアリングであることを特徴とする、請求項１ないし請求項９のいずれかに記載の運動器具用バイブレーター駆動装置。
【請求項１１】
前記ローリングベアリングは、みずから均衡を維持することができる調心ベアリングであることを特徴とする、請求項１０に記載の運動器具用バイブレーター駆動装置。
【発明の詳細な説明】
【技術分野】
【０００１】
本発明は運動器具用バイブレーター駆動装置に係るものである。より詳しくは、バイブレーター駆動装置の構造を改善して、足場の動作によるモーターの負荷を減らすことができ、騒音、衝撃、摩耗などを最小化することができるとともに、足場とハウジングを連結する調節シャフトにかかるテンションを軽減させ、調節シャフトにワインディング手段を備えて、調節シャフトが破損する問題点を克服した運動器具用バイブレーター駆動装置に関するものである。
【背景技術】
【０００２】
最近、現代人が毎日運動することは難しくなり、室内で取り扱うことができる多様な運動器具が開発されている。
【０００３】
例えば、先出願の特許文献１には、運動器具用バイブレーターが開示されているが、この運動器具用バイブレーターは、足場の左右両側と対向するベースパネルの左右両側にそれぞれ配置された第１および第２ベアリングブロックと、一側端部は第１ベアリングブロックに回転可能に装着され、他側端部は第２ベアリングブロックに回転可能に装着された駆動軸と、この駆動軸の中央部位にベルトを介して連結され、これを駆動させる駆動モーターと、駆動軸の両側端部にそれぞれ偏心状に設けられ、偏心方向が相互に１８０°の位相差を有する第１および第２偏心軸と、第１および第２偏心軸にそれぞれ装着され、外周が足場の左右両側と接したままで転がり運動する第１および第２ローリングベアリングとを含んでなる。
【０００４】
したがって、前記第１および第２ローリングベアリングが足場の左右両側といつも当接したままで転がり運動するため、その作動騒音が発生しない作用効果がある。
【０００５】
しかし、足場に乗った状態で、モーターの駆動力によって左右にシーソー方式で動作する過程で、足場の一方向に急激な力が加えられる場合、左右に回動する足場のサイクルが不規則であるため、前記第１および第２ローリングベアリングと第１および第２下敷ブロックとの間に衝撃および騒音などが発生して、これにより、一定期間使用してみると、駆動装置の一部が破損するか摩耗する問題点があった。
【０００６】
【特許文献１】大韓民国特許出願第１０−２００４−００３８０２３号明細書
【発明の開示】
【発明が解決しようとする課題】
【０００７】
本発明は、前記のような問題点を解決することを目的とする。すなわち本発明は、駆動装置の駆動力を足場に伝達する足場誘導部を備えることで、前記足場の作動時、騒音、衝撃、摩耗などを最小化することができる運動器具用バイブレーター駆動装置を提供することをその目的とする。
【０００８】
また、本発明のほかの目的は、足場とハウジングを連結する調節シャフトにかかるテンションを軽減させるとともに調節シャフトにワインディング手段を備えて調節シャフトが破損する問題点を克服した運動器具用バイブレーター駆動装置を提供することである。
【課題を解決するための手段】
【０００９】
本発明は、前記目的を達成するために、
ベースパネルと；
前記ベースパネルの上部に取り付けられ、使用者が上がる足場と、前記足場の中央部を前記ベースパネルから離隔するように支持し、これを中心として左右両側を上下方向にピボット動作可能に支持する支持部材と；
前記支持部材によって支持された前記足場をシーソー方式で上下に作動させるために、前記ベースパネルの上部両側に取り付けられるベアリングブロックと、各側端部が前記ベアリングブロックに回動可能に結合され、駆動手段の駆動力によって回動する駆動軸と、前記駆動軸の両側にそれぞれ偏心状態で固定され、偏心方向が互いに１８０°の位相差を有する偏心軸と、前記偏心軸のそれぞれに装着されるベアリングと；
前記足場とベアリングに結合され、前記足場の左右回動を誘導する足場誘導部と；を含んでなる運動器具用バイブレーター駆動装置において、
前記足場誘導部は、
前記ベアリングの外周面に締まりばめされるハウジングと；
一端がハウジングに結合され、昇降する調節シャフトと；
を含んでなることを特徴とする運動器具用バイブレーター駆動装置を提供する（請求項１）。
【００１０】
前記足場誘導部は、前記足場の底面両側に結合され、長孔が形成された下敷部材をさらに含むことができる（請求項２）。
【００１１】
前記足場誘導部は、前記調節シャフトの他端に締結され、前記足場の下降を誘導するストッパーをさらに含んでなることができる（請求項３）。
【００１２】
前記ハウジングと調節シャフトとの間、および／または調節シャフトとストッパーとの間には、衝撃、騒音、摩耗などを抑制する緩衝部材をさらに含むことができる（請求項４）。
【００１３】
本発明の運動器具用バイブレーター駆動装置は、前記駆動軸の各ベアリングブロック側に装着され、前記偏心軸の偏心方向と反対側に偏心するように取り付けられ、前記偏心軸の偏心質量を補償するバランサーをさらに含むことができる（請求項５）。
【００１４】
前記足場の両側には、ガイドホールをさらに含むことができる（請求項６）。このガイドホールは、回動誘導部の調節シャフト、ストッパー、ナットなどが昇降するために設けられる。
【００１５】
前記調節シャフトには、前記調節シャフトのスイング運動時に発生する摩擦およびテンションを減らすための回動手段をさらに含むことができる（請求項７）。
【００１６】
前記回動手段は、ボールジョイント、または弾性力のあるラバーであることができる（請求項８、請求項９）。
【００１７】
前記ベアリングはローリングベアリングであることができる（請求項１０）。
【００１８】
前記ローリングベアリングは、みずから均衡を維持することができる調心ベアリングであることができる（請求項１１）。
【発明の効果】
【００１９】
したがって、本発明は、駆動装置に足場誘導部を備えて、足場の動作による騒音、衝撃、摩耗などを最小化することができる効果がある。
そして、前記足場を動作するにおいて、使用者が足場を押す力と駆動モーターの駆動力が同時に伝達されることによって、実質的に前記駆動軸を回動させる駆動モーターの容量が小さいものを使用することができて、製品の原価を節減することができる効果がある。
さらに、調節シャフトに回動手段を装着させて、調節シャフトに加えられるテンションおよび摩擦力を減少させることで、調節シャフトが破損する現象を防止することができるとともに、調節シャフトがスイング運動を充実に行うようにすることで、モーターに低い負荷がかかるようにして電気エネルギーを節減することができる効果がある。
【発明を実施するための最良の形態】
【００２０】
以下、本発明による好適な実施例を添付図面に基づいて詳細に説明する。
【００２１】
図１は本発明による運動器具の斜視図、図２は本発明による運動器具用バイブレーターを示す分解斜視図、図３は本発明による足場誘導部を示す分解斜視図、図４および図５は本発明による動作状態を示す断面図である。
【００２２】
図１〜図５に示すように、本発明は、ベースパネル１と、前記ベースパネル１の上部に取り付けられ、使用者が上がる足場１０と、前記足場１０の中央部を前記ベースパネル１から離隔するように支持し、これを中心として左右両側を上下方向にピボット動作可能に支持する支持部材２と、前記支持部材２によって支持された前記足場１０をシーソー方式で上下に作動させるために、前記ベースパネル１の上部両側に取り付けられる第１および第２ベアリングブロック３、４と、両側端部が前記第１および第２ベアリングブロック３、４に回動可能に結合され、駆動モーターの駆動力と駆動手段２００によって回動する駆動軸５と、前記駆動軸５の両側にそれぞれ偏心状態で固定され、偏心方向が１８０°の位相差を有する第１および第２偏心軸６、７と、前記第１および第２偏心軸６、７のそれぞれに装着される第１および第２ローリングベアリング８、９と、前記足場１０と第１および第２ローリングベアリング８、９に結合され、前記足場の左右回動を誘導する足場誘導部１００を含む運動器具用バイブレーター駆動装置であって、前記足場誘導部１００は、前記第１および第２ローリングベアリング８、９に結合されるハウジング２０と、前記足場１０の底面に結合され、内側に長孔３１が形成された下敷部材３０と、一端がハウジング２０に結合され、前記下敷部材３０の長孔３１に沿って昇降する調節シャフト４０と、前記調節シャフト４０の他端に締結されるとともに下敷部材３０の内周面に配置され、前記足場１０の下降を誘導するストッパー５０とを含んでなる。
【００２３】
前記足場１０は、両側にガイドホール１１が穿設され、上部には足場ゴム１２が結合される。
【００２４】
また、本発明の運動器具用バイブレーターは、前記駆動軸５の、各ベアリングブロック３、４のそれぞれの側に、前記第１および第２偏心軸６、７の偏心方向と反対側に偏心するように装着され、前記第１および第２偏心軸６、７の偏心質量を補償する第１および第２バランサー８５、８６を含む。
【００２５】
前記下敷部材３０は断面が略Ｕ字形であって、中央に長孔３１と係止段３２が形成される。
前記ハウジング２０はリング状であって、上部に締結孔２１が穿設され、この締結孔２１の一側に結合孔２２が形成される。
【００２６】
そして、前記ハウジング２０の内周面には、前記第１および第２ローリングベアリング８、９の外周面が締まりばめされるものである。
前記調節シャフト４０は両端部が螺合可能に形成され、一側に環状段４１が形成される。
前記調節シャフト４０の一端はハウジング２０の締結孔２１に螺合され、他端はストッパー５０とナット７０に螺合可能に形成される。
【００２７】
前記調節シャフト４０とハウジング２０が結合された状態で、前記結合孔２２が同一線上に位置され、固定ピン４２によって固定されるものである。
そして、前記ハウジング２０と調節シャフト４０との間、かつ調節シャフト４０とストッパー５０との間には、衝撃、騒音、摩耗などの発生を抑制する第１および第２緩衝部材６０、６１が介在される。
【００２８】
前記第１緩衝部材６０はリング状を有し、ハウジング２０と調節シャフト４０の結合状態を堅くするワッシャーの機能を有する。
前記第２緩衝部材６１は、調節シャフト４０の外周面に結合される貫通孔６２が形成され、一端には、前記下敷部材３０の係止段３２にかかる突出片６３が形成される。
【００２９】
このように、前記第１および第２ローリングベアリング８、９にハウジング２０が結合され、このハウジング２０の締結孔２１に調節シャフト４０の一端部が螺合され、前記調節シャフト４０の他端部が下敷部材３０の長孔３１に挿入され、この調節シャフト４０に第２緩衝部材６０が結合され、続いて前記第２緩衝部材の上部にストッパー５０とナット７０が螺合され、前記下敷部材３０が足場１０の底面に結合される。
【００３０】
前記のように構成される本発明の作用および効果を説明すれば、まず、使用者が足場１０を踏んで上がった後、駆動装置を動作させれば、前記駆動モーターの駆動力がベルトを介して駆動軸５に伝達されて駆動軸が回動する。この時、駆動軸５の両端の第１および第２偏心軸６、７が回動するとともに、第１および第２偏心軸６、７に結合された第１および第２ローリングベアリング８、９によって前記ハウジング２０が転がり運動し、これにより、前記第１および第２偏心軸６、７によって前記ハウジング２０に結合された調節シャフト４０と、この調節シャフト４０に結合されたストッパー５０およびナット７０が昇降することになる。
【００３１】
言い換えれば、図４に示すように、本発明の足場誘導部１００は、前記第１偏心軸６が回動して上死点に到逹すれば、前記調節シャフト４０、ストッパー５０およびナット７０は前記下敷部材３０の長孔３１と足場１０のガイドホール１１に沿って昇降しながら前記足場１０の一側を上昇させる。
【００３２】
ついで、前記第１偏心軸６が回動しながら下死点に到逹する過程で、前記調節シャフト４０、ストッパー５０およびナット７０が下降しながら、先に前記第２緩衝部材６１の突出片６３を加圧すれば、前記ストッパー５０の下端部が前記下敷部材３０の係止段３２を押しながら前記足場１０を下降させることになる。
このように、前記調節シャフト４０、ストッパー５０およびナット７０の昇降の際、前記調節シャフト４０、ストッパー５０およびナット７０が、足場１０に接触しないので、衝撃、騒音、摩耗などが全然発生しないものである。
【００３３】
一方、前記足場１０の下降時には大きな力が要求されるが、使用者が足場１０を押す力と、足場１０の下降時の駆動モーターの駆動力とが同時に伝達されることによって、前記駆動軸５を回動させる駆動モーターの容量が小さいものであっても使用可能である。
そして、使用者が足場１０に上がって足場１０を左右に回動させる過程で、初期動作には大きな力が要求されるが、一旦作動すれば、前記調節シャフト４０、ストッパー５０およびナット７０によって足場１０を下降させることによって、前記足場１０の左右回動速度による駆動モーターの駆動力を調節して電力の浪費を減らすことができるものである。
【００３４】
ところで、長孔３１において調節シャフト４０が昇降するときの運動は足場１０の両側で交互に行われ、その運動はスイング運動であるので、調節シャフト４０が長孔３１で移動するにしたがい、調節シャフト４０の外周面と長孔３１がぶつかって摩擦騒音が発生し、繰り返される摩擦力によって調節シャフト４０の特定部位が弱くなり、調節シャフト４０が破損する問題点が発生する。また調節シャフト４０がスイング運動することによって調節シャフト４０にテンションがかかる問題点が発生する。
【００３５】
前記の問題点を克服するために、図３ａに示すように、調節シャフト４０の所定位置に回動手段８０を備えることが望ましい。
前記回動手段８０としては、ボールジョイント、または弾性力に優れたラバーを使うことが望ましい。
【００３６】
前記ボールジョイントとしては、図３ｂに示す、本体８２ａ、前記本体８２ａに安着される回転ロッド８２ｂ、および前記回転ロッド８２ｂが本体８２ａから離脱することを防ぐために本体８２ａに結合されるカバー８２ｃを含んでなるボールジョイント８２を挙げることができる。
本発明の実施例に詳細に示されていないが、前記本体８２ａの上下端には、調節シャフト４０と結合するための手段を備えることが望ましく、その手段としては、ブッシングによる結合、熔接による結合、螺合による結合などが可能であると言える。
【００３７】
前記ラバーとしては、図３ｃに示す、円柱状のラバー８４ａ、および前記ラバー８４ａの上下面に装着される連結部材８４ｂを含んでなるラバー部材８４を挙げることができる。
前記連結部材８４ｂの両端は調節シャフト４０に結合手段で結合され、その結合方式は先の実施例で説明したボールジョイントのような結合を使用することが望ましい。
【００３８】
一方、前記駆動モーターの駆動力によって回転力を伝達する前記足場誘導部１００の適所に第１および第２緩衝部材６０、６１を介在することで、衝撃、騒音、摩耗などを減らすことができるものである。
【００３９】
本発明の実施例で使用したローリングベアリング８、９は軸とベアリングとの間にボールまたはローラーが介在されて転がり運動をするベアリングであり、本発明で使用するローリングベアリングはみずから均衡を維持することができる調心ベアリングを使用することが望ましい。
【００４０】
以上のように、本発明は限定された実施例および図面に基づいて説明されたが、本発明はこれに限定されず、本発明が属する技術分野で通常の知識を持った者によって、本発明の技術思想および請求範囲内で多様な修正および変形が可能であることは勿論である。
【産業上の利用可能性】
【００４１】
本発明は、足場の動作によるモーターの負荷を減らし、騒音、衝撃、摩耗などを最小化し、足場とハウジングを連結する調節シャフトにかかるテンションを軽減させ、調節シャフトにワインディング手段を備えて、調節シャフトの破損を防止する運動器具用バイブレーター駆動装置に適用可能である。
【図面の簡単な説明】
【００４２】
【図１】本発明が使用される運動器具の斜視図である。
【図２】本発明による運動器具用バイブレーター駆動装置を示す分解斜視図である。
【図３ａ】足場誘導部を示す分解斜視図である。
【図３ｂ】調節シャフトに装着される回動手段の一実施例を示す斜視図である。
【図３ｃ】調節シャフトに装着される回動手段のほかの実施例を示す斜視図である。
【図４】本発明による駆動装置の動作状態を示す断面図および部分拡大断面図である。
【図５】本発明による駆動装置のほかの動作状態を示す断面図である。
【符号の説明】
【００４３】
１            ベースパネル
２            支持部材
３、４        ベアリングブロック
５            駆動軸
６、７        偏心軸
８、９        ローリングベアリング
１０          足場
１１          ガイドホール
１２          足場ゴム
２０          ハウジング
３０          下敷部材
３１          長孔
３２          係止段
４０          調節シャフト
５０          ストッパー
６０、６１    緩衝部材
７０          ナット
８０          回動手段
８２          ボールジョイント
８４          ラバー部材
８５、８６    バランサー
１００        足場誘導部
２００        駆動手段
【図１】
2008079772.tif 000003
【図２】
2008079772.tif 000004
【図３ａ】
2008079772.tif 000005
【図３ｂ】
2008079772.tif 000006
【図３ｃ】
2008079772.tif 000007
【図４】
2008079772.tif 000008
【図５】
2008079772.tif 000009